(57)【要約】【課題】複数の遊戯機器をコンピュータに接続し、管理データを印刷する所定の書式を有した用紙に繰り返し印刷を行うことにより、複数の遊戯機器の管理データを各々時系列に管理する技術を提供する。【解決手段】入力手段と表示手段を具備したデータ集積用コンピュータ１１、入力手段と表示手段を具備した印刷用コンピュータ１２および印刷用コンピュータ１２に接続したプリンタ１３、プリンタ１３に固定したバーコードリーダ１５とで構成する。データ集積用コンピュータ１１と印刷用コンピュータ１２およびプリンタ１３はローカルエリアネットワークケーブル（ＬＡＮケーブル）等の通信ケーブル１４で接続し、印刷用コンピュータ１２とバーコードリーダ１５はシリアルケーブル（ＲＳ２３２Ｃケーブル）１６で接続する。【選択図】図１
2008108159.tif 000002
【特許請求の範囲】
【請求項１】
データ集積用コンピュータと、印刷用コンピュータ及びプリンタを有し、各々が通信ケーブルで接続構成されてなり、前記データ集積用コンピュータが遊戯機器と該遊戯機器に投入する金属玉を遊戯者に賃貸する玉貸し機を前記通信ケーブルに接続して遊戯施設の管理データを取得すると共に、この管理データを元に遊戯機器毎に損益を示す営業データを印刷可能とするソフトウェアを前記印刷用コンピュータに格納し、バーコードリーダによりデータ用紙の所定の位置に予め初日に印刷したバーコードを読み取り、該データ用紙に記録された書誌的データを送信し、前記プリンタにより営業データを含む管理データを連続自動印刷することを特徴とする遊戯機器の管理データの印刷方法。
【請求項２】
前記印刷用コンピュータにより印字されたバーコードから島区分ごとに連続自動印刷することを特徴とする請求項１記載の遊戯機器の管理データの印刷方法。
【請求項３】
前記プリンタが手書きコメントを残存させて新規の営業データを含む管理データを連続自動印刷することを特徴とする請求項１記載の遊戯機器の管理データの印刷方法。
【発明の詳細な説明】
【技術分野】
【０００１】
本発明は、複数の遊戯機器をコンピュータに接続し、管理データを印刷する所定の書式を有した用紙に繰り返し印刷を行うことにより、複数の遊戯機器の管理データを各々時系列に管理することを可能にした印刷方法に関する。
【背景技術】
【０００２】
従来、この種の技術に於ける一例として特開平５−１８９１７５号に開示されたプリンタ装置がある。
これについて説明すれば、図６は従来技術に係るプリンタ装置の要部を示す側面図である。このプリンタ装置は、キーボード（入力手段）１及びＣＲＴモニタ（表示手段）２を備えたコンピュータ３の他に、用紙（印刷媒体）を位置決めする用紙固定部４、コンピュータ（画像処理装置）３に接続され画像読取機能を有するスキャナ部（画像取込手段）５及び印刷機能を有する印刷部（印刷手段）６、さらに、用紙固定部４、スキャナ部５及び印刷部６の間に設置された搬送装置７を備えて構成されている。
【０００３】
用紙固定部４は、１枚または多数の用紙を位置決めした状態で収納するトレイ４ａ、トレイ４ａの上部に形成され用紙８を外部に送り出す出口４ｂ、トレイ４ａの上方に配置された回転ローラ４ｃ、トレイ４ａの底部に配置され回転ローラ４ｃに用紙８を附勢する底板を備えており、搬送装置７に１枚ずつ用紙を送り出す。
【０００４】
搬送装置７は、搬送路７ａ、回転ローラ７ｂ、ベルトコンベヤ７ｃ及びベルトコンベヤ７ｄで構成し、用紙固定部４から送られた用紙８をスキャナ部５に搬送する搬送路７ａ、回転ローラ７ｂ、スキャナ部５から印刷部６に用紙８を搬送するベルトコンベヤ７ｃ、印刷部６から収納箱９に用紙８を搬送するベルトコンベヤ７ｄを備えている。搬送装置７には用紙８を位置決めする為の用紙押え治具（図示せず）が装着されているので、用紙８は用紙固定部４で位置決めされた状態を保ちつつ、スキャナ部５、印刷部６に搬送される。
【０００５】
スキャナ部５は、回転ローラ７ｂにより搬送された用紙８を固定し、用紙８を表わす輪郭線及び用紙８に描かれた画像データを読み取り、それをコンピュータ３に取込む。コンピュータ３にはＣＲＴモニタ２が接続されており、取り込まれた用紙８の輪郭線８ａ及び画像データ１０がＣＲＴモニタ２上に表示される。
【０００６】
キーボード１からは、文字データ、画像データをキー操作によりコンピュータ３に入力することができる。この場合、ＣＲＴモニタ２上にはキーボード１からデータを挿入できる位置を示すカーソルが表示され、このカーソル位置をキー操作あるいはマウスやトラックボールの操作により移動することができる。キーボード１からのデータは、輪郭線８ａ及び画像データ１０と同一画面に、画面のカーソル位置に表示される。その為、画面上の用紙８の輪郭線８ａ、画像データ１０に対して、キー操作による追加データの位置関係を画面上で認識することができる。
【０００７】
印刷部６は、スキャナ部５と同様に、ベルトコンベヤ７ｃにより搬送された用紙８を固定し、用紙８にキーボード１から入力されたデータを印刷する。この場合、用紙８に予め描かれていた画像データ１０は、印刷されない。その為、用紙８には予め描かれていた画像データ１０に加えてキーボード１から入力されたデータが印刷されるので、用紙８はＣＲＴモニタ２で表示されたように仕上がる。
【０００８】
印刷部６で印刷が終了した後、用紙８はベルトコンベヤ７ｃにより収納箱９に搬送される。
【特許文献１】特開平５−１８９１７５号公開特許公報
【発明の開示】
【発明が解決しようとする課題】
【０００９】
前記特開平５−１８９１７５号の公開特許公報に係る従来の技術は、叙上したように、所定の第１画像が予め印刷された印刷媒体を読み取り、印刷媒体の輪郭線及び第１画像を画像処理装置に取り込む画像取込手段と、輪郭線及び第１画像を画面に表示する表示手段と、第２画像を画像処理装置に入力し画面上に表示された輪郭線内の任意の位置に第２画像を表示する入力手段と、画面に表示された輪郭線及び第１画像との相対位置関係を維持した状態で、第２画像を印刷媒体に印刷する印刷手段とを備えるという構成である。
【００１０】
而して、当該従来の技術によれば、用紙ごとに用紙の画像情報を画像取込手段を用いてコンピュータに取り込む必要があり、画像取り込みに時間を要するという問題点があった。さらに作業者がコンピュータの表示装置を目視した用紙一枚ごとに新たな情報を用紙の所定の位置にキーインする必要があるという問題点があった。
【課題を解決するための手段】
【００１１】
本発明の目的は、叙上の問題点を解消することにあり、遊戯機器情報及び該情報に基づいて処理を行った様々なデータを各遊戯機器島別に印刷することにあり、様々なデータを元に選択可能な例えば、10種類のデータを同一の用紙に一週間分時系列に自動的に印刷することで、日々の遊戯機器の設定とその稼動の推移を分りやすく
迅速に印刷することにある。
【００１２】
本発明は上述の目的を達成するために発明したものであり、次の構成、手段を備えている。
【００１３】
すなわち請求項１記載の発明によれば、データ集積用コンピュータと、印刷用コンピュータ及びプリンタを有し、各々が通信ケーブルで接続構成されてなり、前記データ集積用コンピュータが遊戯機器と該遊戯機器に投入する金属玉を遊戯者に賃貸する玉貸し機を前記通信ケーブルに接続して遊戯施設の管理データを取得すると共に、この管理データを元に遊戯機器毎に損益を示す営業データを印刷可能とするソフトウェアを前記印刷用コンピュータに格納し、バーコードリーダによりデータ用紙の所定の位置に予め初日に印刷したバーコードを読み取り、該データ用紙に記録された書誌的データを送信し、前記プリンタにより営業データを含む管理データを連続自動印刷することを特徴とする。
請求項２記載の発明によれば、請求項１記載の発明に於いて前記印刷用コンピュータにより印字されたバーコードから島区分ごとに連続自動印刷することを特徴とする。
請求項３記載の発明によれば、請求項１記載の発明に於いて前記プリンタが手書きコメントを残存させて新規の営業データを含む管理データを連続自動印刷することを特徴とする。
【発明の効果】
【００１４】
本発明に係る遊戯機器の管理データの印刷方法は、叙上の構成を有するので次のような効果がある。
【００１５】
すなわち請求項１ないし３記載の発明によれば、バーコードにより島区分を自動認識して順不同の複数枚のデータ用紙を自動印刷でき、管理対象が紙なので、当日の手書きコメント等の履歴を同時に残すことができ、さらには、バーコードがコンピュータに自動的に印字指令を発するので、一般市販のプリンタを利用することができ、コンピュータが判断して必要な印字箇所に自動的に印字するため、オペレータがデータを手入力する必要がなく、短時間でデータ処理を行うことができ、併せて島ごとに1週間のデータを１枚のデータ用紙に印刷するので時系列でデータの変化を理解することができ、同時に営業データを見易く印刷し、さらに裏印刷が可能な用紙の場合は表裏で２週間分の印刷ができること及び、印刷時間を短縮することが可能となり、印刷コストも抑制することができるという効果がある。
【発明を実施するための最良の形態】
【００１６】
以下、本発明に係る遊戯機器の管理データの印刷方法に於ける実施の形態について、添付図面に基づき詳細に説明する。
図１は本発明に係る遊戯機器の管理データの印刷方法における実施の形態を示す構成図である。これについて説明すれば、入力手段と表示手段を具備したデータ集積用コンピュータ１１、入力手段と表示手段を具備した印刷用コンピュータ１２および印刷用コンピュータ１２に接続したプリンタ１３、プリンタ１３に固定したバーコードリーダ１５とで構成する。
【００１７】
データ集積用コンピュータ１１と印刷用コンピュータ１２およびプリンタ１３はローカルエリアネットワークケーブル（ＬＡＮケーブル）等の通信ケーブル１４で接続し、印刷用コンピュータ１２とバーコードリーダ１５はシリアルケーブル（ＲＳ２３２Ｃケーブル）１６で接続する。
使用するケーブル類は採用する機器に依存するので前記のケーブルの種類に限定するものではない。
【００１８】
データ集積用コンピュータ１１は一般にホールコンピュータと称するものでウィンドウズやリナックス等のオペレーティングシステムを用いたパーソナルコンピュータであり、コンピュータ本体１１ａと、キーボード１１ｂおよびマウス（図示せず）またはトラックボール（図示せず）からなる入力装置と、ブラウン管または液晶による表示装置１１ｃとからなる。
【００１９】
該データ集積用コンピュータ１１は遊戯機器（図示せず）と遊戯機器に投入する金属玉を遊戯者に賃貸する玉貸し機（図示せず）とをローカルエリアネットワーク等の通信ケーブル１４を用いて接続している。該遊戯機器と該玉貸し機は隣接して設置し、遊戯者が該玉貸し機に硬貨を投入し金属玉を取出し、隣接した特定の遊戯機器においてこの金属玉を利用して遊戯することができる。このように遊戯機器と玉貸し機は１対１で構成し管理する。さらには複数の遊戯機器と玉貸し機の対で群を構成し、該群が複数集積して遊戯施設を形成している。
【００２０】
前記群を一般に島と称し、該島単位で遊戯機器の外観構造及び動作仕様を共通化することにより、ひとつの遊戯施設内に複数の外観構造及び動作仕様を有する遊戯機器群を擁している。
【００２１】
前記データ集積用コンピュータ１１は、前記遊戯施設の前記複数の全ての遊戯機器と、前記複数の全ての玉貸し機から前記ローカルエリアネットワークケーブル等の通信ケーブル１４を介して随時遊戯施設に必要な管理データや営業管理データを取得する。
【００２２】
該管理データは、前記遊戯機器及び前記玉貸し機から得られる一次的データと、該一次的データを前記データ集積用コンピュータ１１がさらにデータ処理した二次的データがあり、一次的データと二次的なデータは例えば合計３０種類以上になる。
【００２３】
印刷用コンピュータ１２はウィンドウズやリナックス等のオペレーティングシステムを用いたパーソナルコンピュータであり、コンピュータ本体１２ａと、キーボード１２ｂおよびマウス（図示せず）からなる入力装置とブラウン管または液晶による表示装置１２ｃからなる。
【００２４】
該印刷用コンピュータ１２は前記３０種類またはそれ以上の管理データを元に、前記遊戯機器１台ごとに例えば損益を示すデータを処理し、一日を単位とした時系列で任意の１０種類の管理データを印刷することができるデータ印刷ソフトウエア（図示せず）を格納している。該印刷用コンピュータ１２は前記データ集積用コンピュータ１１をローカルエリアネットワークケーブル等の通信ケーブル１４で接続してある。操作者の操作またはデータ印刷ソフトウェアが、該印刷用コンピュータ１２から前記データ集積用コンピュータ１１に指令することにより、データ集積用コンピュータ１１から前記３０種類またはそれ以上の管理データまたは、例えば１０種類の管理データを取得する。この管理データは、例えば書誌的データ、日付データ、項目データ及び営業データからなり、書誌的データはバーコード、枠、島データ例えば島番号、台番号、及びその他の共通印刷内容からなる。
【００２５】
該データ印刷ソフトウエアは例えば２５６色のカラー印刷を可能にしているので、管理データ数値の上限値、下限値を超えた実績値をカラーで印字することにより、管理データを直視的に且つ具体的に判断し易くすることが可能である。
【００２６】
プリンタ１３は前記印刷用コンピュータ１２にローカルエリアネットワークケーブル等の通信ケーブル１４で接続した市販のプリンタで、カットシートフィーダ１３ａを具備しており、単票のＡ４版用紙ないしＢ４版用紙が連続印刷できるものである。
【００２７】
本実施の形態ではプリンタ１３をネットワークプリンタとして扱っているが、ユニバーサルシリアルバスケーブル（ＵＳＢ）やパラレルケーブルによって前記印刷用コンピュータ１２に直接接続してもよい。
【００２８】
プリンタ１３をネットワークプリンタとして接続すると印刷用コンピュータ１２から印刷するだけでなく、データ集積用コンピュータ１１からも直接印刷することが可能で、プリンタを共用できるので有用であるが、プリンタ１３の設置時の初期設定が複雑となり、ネットワーク構築が容易でない。
【００２９】
一方、ユニバーサルシリアルバスケーブルで印刷用コンピュータ１２とプリンタ１３を接続した場合は、プリンタ１３に付属するプリンタドライバを印刷用コンピュータ１２に導入するだけなので設置が容易である。
【００３０】
パラレルケーブルにより印刷用コンピュータ１２とプリンタ１３を接続した場合は接続に必要とするケーブル価格やコネクタの価格がユニバーサルシリアルバスケーブルに比較して高額である。低価格で高速転送が可能なユニバーサルシリアルバス規格であるＵＳＢ２．０が普及したので、パラレルケーブルによる接続はコネクタ接続部の機械的な信頼性を要求する用途に限定されつつある。
【００３１】
本実施の形態に用いるプリンタ１３の好適な例として、例えばリコー製ジェルジェットプリンタ「ＩＰＳＩＯ  ＧＸ３０００」やリコー製カラーレーザープリンタ「ＩＰＳＩＯ  ＳＰ  Ｃ７１０」を適用する。該２機種はユニバーサルシリアルバス接続またはネットワーク接続が可能となるプリンタである。
【００３２】
バーコードリーダ１５は前記プリンタ１３のカットシートフィーダ１３ａの近傍に固定したもので、前記印刷用コンピュータ１２にシリアルケーブル１６を介して接続する。該バーコードリーダ１５が図２及び図３に示すように、データ用紙１７の所定の位置に予め印刷したバーコード１７ａを読み取り、前記印刷用コンピュータ１２に送信する。バーコード１７ａのデータを受信した前記印刷用コンピュータ１２は、バーコード１７ａのデータに基づいて、遊戯施設内のどの島であるか、島データ例えば島番号を判断する。
【００３３】
前記バーコードリーダ１５の作用によって、前記データ用紙１７からバーコード１７ａを元に前記印刷用コンピュータ１２は、遊戯施設内の特定の前記島データ１７ｂ、前記年月日データ１７ｃ、および曜日データ１７ｃを判断する。前記印刷用コンピュータ１２は、前記データ集積用コンピュータ１１から得た前記管理データ１７ｅの中から、前記データ用紙１７に印刷すべきデータを選別し、前記データ用紙１７の所定の位置に追記すべき管理データのみを印字する。前述したとおり１つの島には複数個の遊戯機器が所属しているので前記データ用紙１７の行方向には複数の遊戯機器の台番号１７ｄが印字されている。
【００３４】
本実施の形態に用いるバーコードリーダ１５の好適な例として、キーエンス製ＣＣＤバーコードリーダ「ＢＬ−１８０／１８５」を適用する。
【００３５】
遊戯施設内の遊戯機器の管理者は、プリンタ１３で管理データを印刷したデータ用紙１７を遊戯施設内を携行して利用する。具体的には前記管理者は印刷された前記管理データに基づいて、翌日の管理目標値を設定し、該設定値を前記データ用紙１７に手書きで追記する。該手書き数値を元に遊戯機器の動作特性を遊戯施設内で遊戯機器ごとに設定し必要に応じて変化をもたせることもできる。該動作特性を有した遊技機器を翌日営業に付し、該営業日の営業時間終了後、前記手書き文字を付記したデータ用紙１７に該営業日の管理データをプリンタ１３を用いて追加印刷する。この一連の作業によって、前日の管理データと前日定めた手書きした目標値と、翌日の管理データとが同一のデータ用紙１７に記録され保存可能となる。
【００３６】
叙上のように同一のデータ用紙１７に一日ごとの前記管理データを一週間繰り返し印刷するとともに、日々の管理目標値がデータ用紙１７に手書きされデータ用紙１７に残るので、実績値と目標値が一目瞭然となり、遊戯機器に於ける実績値と目標値の設定の良否が即時に判断可能となる。従って遊戯施設内での使用する特質上、用紙が痛みやすいので、印刷不良が生じることを防止するために、一般の印刷用紙よりも厚手の用紙が好適である。
【００３７】
次に、本発明に係る遊戯機器の管理データの印刷方法に於ける具体的な実施の形態の動作について、図５に基づいて説明する。
図５は図１の印刷用コンピュータ１２を操作してデータ用紙１７に管理データを印刷するときのフローチャートである。
【００３８】
まず、データ集積用コンピュータ１１が遊戯機器と玉貸し機からの一次的データを取り込み、該データ集積用コンピュータ１１が前記一次的データにより二次的データを処理終了したことを確認する。プリンタ１３、バーコードリーダ１５、印刷用コンピュータ１２のそれぞれの電源を投入し、印刷用コンピュータ１２においてデータ処理ソフトを起動する（図５のフローチャートのステップ１）。尚、該電源投入操作は、前記データ集積用コンピュータ１１のデータ処理進行状態に依存しないことは当然であり、前記データ集積用コンピュータ１１のデータ処理が終了しなければ、前記印刷用コンピュータ１２で起動したデータ処理ソフトが前記データ集積用コンピュータ１１の処理したデータを読み込めないことは自明である。
【００３９】
データ処理ソフトの初期画面には「データ表示」、「自動印刷」および「設定」の３個のメニューボタンが表示されるので「データ表示」ボタンをマウスまたはトラックボールでクリックする（ステップ２）。すると表示装置１１ｃの画面上に、図２に示すデータ用紙１７と同一の書式のデータ用紙が表示される。データ処理ソフトを起動した年月日の日付すなわち最終営業データ日を含む週の週初めから当日までのデータが表示装置１１ｃ上に表示される。表示されたデータの最終日が最終営業データ日すなわち当日であることを確認する（ステップ３）。
【００４０】
次に表示装置１１ｃの画面上に表示された「自動印刷」ボタンをクリックする（ステップ４）。すると印刷処理の選択画面が表示される。この選択画面には「新規印刷」、「通常印刷」および「キャンセル」のボタンがある。「新規印刷」とは週初めの月曜日や遊戯施設の新規オープン日のときに選択するボタンであり、当日日付と枠線、管理項目、島データ、遊戯機器の台番号およびバーコード等書誌的データ並びに当日の損益をあらわす営業データを新しいデータ用紙１７に印字する命令である。「通常印刷」とは火曜日以降および遊戯施設の新規オープン日の翌日以降に選択するボタンであり、すでに前記書誌的データ及び前日以前の営業データを印刷してあるデータ用紙１７に当日の日付と営業データとを追記印字する命令である。
【００４１】
まず、「新規印刷」ボタンを選択した場合から説明する（ステップ５）。表示装置１１ｃの画面上に新しい選択画面が現れる。該選択画面には最終営業データ日すなわち当日の月日が表示されていて、印刷開始の島ナンバーの数値をキーインする窓が存在する。その下方に「はい」ボタンおよび「いいえ」ボタンがある。
【００４２】
印刷開始の島の番号選択を行うが（ステップ６）、新規印刷の場合印刷開始の島ナンバーは１が初期値としてデータ処理ソフトによって設定されている。通常はすでに表示されているこの１のままでよい。印刷処理途中で印字を中断した場合など、特定の島から印刷を続行する場合はキーボードから希望の島番号をこの窓に入力することができるように工夫されている。
【００４３】
新しいデータ用紙１７をプリンタ１３のカットシートフィーダ１３ａにセットする（ステップ７）。セットするデータ用紙１７の枚数は遊戯施設が所有する島の数と同一であることはいうまでもない。
【００４４】
前記「はい」ボタンをマウスまたはトラックボールでクリックする（ステップ８）。
これにより印刷を開始する（ステップ９）。印刷途中で、セットミスによりデータ用紙１７が足らなくなった場合や、図５のフローチャートに図示しないが、プリンタ１３において通称紙ジャムが発生した場合、「自動印字終了」ボタンを押して印刷作業を中断し、前記枚数のデータ用紙１７をプリンタ１３のカットシートフィーダ１３ａに再セットして、ステップ５から操作を繰り返す。紙ジャムとは、プリンタ本体１３ｂがデータ用紙を同時に複数枚引き込んでしまう多重引き込みや、プリンタ本体１３ｂ内での紙詰まりを指す。
【００４５】
全島分のデータ用紙１７を印刷したら印字完了となり（ステップ１０）、自動的にデータ処理ソフトが終了する。
【００４６】
次に、「通常印刷」ボタンを選択した場合を説明する（ステップ１１）。
「通常印刷」ボタンを押すと新しい画面が表示される。その画面に最終営業データ日が表示され、その当日のデータを自動印刷するというメッセージが表示され、その下方に「ОＫ」ボタンと「キャンセル」ボタンがある。
【００４７】
次に前日までのデータが印刷されたデータ用紙１７をプリンタ１３のカットシートフィーダ１３ａにセットする（ステップ１２）。このとき、データ用紙１７に印刷されているバーコードをバーコードリーダ１５が読み取れる向きに、データ用紙１７の向きを揃えてセットする。バーコードリーダ１５がデータ用紙１７に印刷されているバーコードを読み取って該当島データを印刷するので、プリンタ１３のカットシートフィーダ１３ａにセットするデータ用紙１７の重なり順序は順不同でよいことはいうまでもない。
【００４８】
「ОＫ」ボタンを押す（ステップ１３）。これにより印刷を開始する。
全ページの連続自動印字が進行する（ステップ１４）。
印刷途中で前記紙ジャムの発生の有無で操作フローが分岐する（ステップ１５）。
【００４９】
紙ジャムが発生せず、印刷が正常に進行すれば自動印刷終了となる（ステップ１６）。印刷が終了すると新しい画面が現れ「バーコード無効により自動印刷を終了します」とメッセージが出て、その下方に「ОＫ」ボタンが表示される。プリンタ１３のカットシートフィーダ１３ａにデータ用紙１７が無く、バーコードリーダからの信号が１分間途絶えるとタイムアウトとして前記無効メッセージを表示するが、
これは正常終了を意味する。
【００５０】
印刷が終了したら、目視で全島のデータ用紙の印刷確認を行う（ステップ１７）。
多重引き込みの場合、印刷されなかったデータ用紙１７のみプリンタ１３のカットシートフィーダ１３ａにセットして、再度ステップ１１の通常印刷を行う。
【００５１】
紙ジャムが発生した場合は「自動印字終了」ボタンを押して印刷作業を中断する（ステップ１８）。紙ジャムの原因を取り除いた上で（ステップ１９）、プリンタの「印刷のジョブ取り消し」ボタンを押して（ステップ２０）、データ用紙１７をプリンタ１３のカットシートフィーダ１３ａに再度セットしてステップ１１の通常印刷を行う。
【図面の簡単な説明】
【００５２】
【図１】本発明に係る遊戯機器の管理データの印刷方法の好適な実施の形態を示す構成図である。
【図２】本発明に係る遊戯機器の管理データの印刷方法で使用するデータ用紙例の図である。
【図３】図２に示すデータ用紙例の一部拡大図であって、バーコードおよび島データの印刷例を示す図である。
【図４】図２に示すデータ用紙例の一部拡大図であって、行方向に遊戯機器の番号を例示し、列方向に日付と曜日および任意の１０種類の管理データを例示する図である。
【図５】本発明に係る遊戯機器の管理データの印刷方法による印刷用コンピュータを操作するときのフローチャートである。
【図６】従来の技術に於ける所定の書式を有した用紙に繰り返し印刷を行うプリンタ装置を模式的に示す概要図である。
【符号の説明】
【００５３】
１１データ集積用コンピュータ
１１ａコンピュータ本体
１１ｂキーボード
１１ｃ表示装置
１２印刷用コンピュータ
１２ａコンピュータ本体
１２ｂキーボード
１２ｃ表示装置
１３プリンタ
１３ａカットシートフィーダ
１３ｂプリンタ本体
１４通信ケーブル
１５バーコードリーダ
１６シリアルケーブル
１７データ用紙
１７ａバーコード
１７ｂ島データ
１７ｃ日付および曜日データ
１７ｄ遊戯機器の台番号
１７ｅ営業データ
【図１】
2008108159.tif 000003
【図２】
2008108159.tif 000004
【図３】
2008108159.tif 000005
【図４】
2008108159.tif 000006
【図５】
2008108159.tif 000007
【図６】
2008108159.tif 000008